(57)【要約】【課題】戸体が通過した状態において通行の妨げになり難い構成でありながらも、戸体の下端側を円滑にガイドし得るガイド装置及びこれを備えた引戸装置を提供する。【解決手段】戸幅方向に沿って移動自在に上レール７に支持される戸体１０の下端側をガイドするガイド装置１５であって、前記戸体の下端部に戸幅方向の全長に亘って設けられ、下向きに開口するガイド溝１７が戸幅方向に沿って設けられた溝部材１６と、床２側に埋込状に配されるケーシング２５に前記ガイド溝に挿入される円柱状部２３を上下動自在に保持させたガイド部材２０と、を備え、前記溝部材には、前記ガイド部材の円柱状部に設けられた被吸引部２４を磁力によって吸引する磁石１８，１８が前記ガイド溝の略全長に亘って溝幅方向両側のそれぞれに沿うように設けられており、前記円柱状部が上方側に突出されて前記ガイド溝に挿入された状態で該円柱状部の上端面２３ａと該ガイド溝の溝底１７ａとの間に隙間が形成される構成とされている。【選択図】図１
2018071297.tif 000002
【特許請求の範囲】
【請求項１】
戸幅方向に沿って移動自在に上レールに支持される戸体の下端側をガイドするガイド装置であって、
前記戸体の下端部に戸幅方向の全長に亘って設けられ、下向きに開口するガイド溝が戸幅方向に沿って設けられた溝部材と、床側に埋込状に配されるケーシングに前記ガイド溝に挿入される円柱状部を上下動自在に保持させたガイド部材と、を備え、前記溝部材には、前記ガイド部材の円柱状部に設けられた被吸引部を磁力によって吸引する磁石が前記ガイド溝の略全長に亘って溝幅方向両側のそれぞれに沿うように設けられており、
前記円柱状部が上方側に突出されて前記ガイド溝に挿入された状態で該円柱状部の上端面と該ガイド溝の溝底との間に隙間が形成される構成とされていることを特徴とするガイド装置。
【請求項２】
請求項１において、
前記ガイド部材の円柱状部の被吸引部は、前記溝部材のガイド溝の溝幅方向両側に設けられた磁石に吸引されるように磁極が配された磁石であることを特徴とするガイド装置。
【請求項３】
請求項１または２において、
前記溝部材のガイド溝の溝深さ寸法は、突出状態における前記ガイド部材の円柱状部の突出寸法よりも大とされていることを特徴とするガイド装置。
【請求項４】
請求項１乃至３のいずれか１項に記載のガイド装置と、このガイド装置の溝部材が下端部に設けられた戸体と、を備えていることを特徴とする引戸装置。
【発明の詳細な説明】
【技術分野】
【０００１】
本発明は、ガイド装置及びこれを備えた引戸装置に関する。
【背景技術】
【０００２】
従来より、戸幅方向に沿って移動自在に上レールに支持されるいわゆる上吊り式の引戸が知られている。このような上吊り式の引戸は、下端部に下向きに開口するガイド溝が戸幅方向に沿って設けられており、このガイド溝に床面や下枠等に設置されたガイドピンが挿入され、その下端側のガイドがなされる。このようなガイドピンを固定的に設けられる固定ピンとした場合には、引戸が通過して上方側に存在しない状態となれば、床から大きく突出した状態となり、床側において邪魔になり易いという問題があった。
例えば、下記特許文献１には、突出状態で引き戸の下端面のガイド溝に嵌まる突没自在なガイドピンを床面に埋め込み状態に設け、ガイド溝の底面部及びガイドピンの少なくとも一方を磁石とし、他方を磁性体とした引き戸の下部案内構造が開示されている。
【先行技術文献】
【特許文献】
【０００３】
【特許文献１】特開平１１−２２２７９号公報
【発明の概要】
【発明が解決しようとする課題】
【０００４】
しかしながら、上記特許文献１に記載された下部案内構造では、磁力によって突出状態とされたガイドピンの上端面がガイド溝の底面部に摺るように接するため、摩擦抵抗が大きくなる傾向があり、更なる改善が望まれる。
【０００５】
本発明は、上記実情に鑑みてなされたものであり、戸体が通過した状態において通行の妨げになり難い構成でありながらも、戸体の下端側を円滑にガイドし得るガイド装置及びこれを備えた引戸装置を提供することを目的としている。
【課題を解決するための手段】
【０００６】
上記目的を達成するために、本発明に係るガイド装置は、戸幅方向に沿って移動自在に上レールに支持される戸体の下端側をガイドするガイド装置であって、前記戸体の下端部に戸幅方向の全長に亘って設けられ、下向きに開口するガイド溝が戸幅方向に沿って設けられた溝部材と、床側に埋込状に配されるケーシングに前記ガイド溝に挿入される円柱状部を上下動自在に保持させたガイド部材と、を備え、前記溝部材には、前記ガイド部材の円柱状部に設けられた被吸引部を磁力によって吸引する磁石が前記ガイド溝の略全長に亘って溝幅方向両側のそれぞれに沿うように設けられており、前記円柱状部が上方側に突出されて前記ガイド溝に挿入された状態で該円柱状部の上端面と該ガイド溝の溝底との間に隙間が形成される構成とされていることを特徴とする。
【０００７】
また、上記目的を達成するために、本発明に係る引戸装置は、本発明に係るガイド装置と、このガイド装置の溝部材が下端部に設けられた戸体と、を備えていることを特徴とする。
【発明の効果】
【０００８】
本発明に係るガイド装置及びこれを備えた引戸装置は、上述のような構成としたことで、戸体が通過した状態において通行の妨げになり難い構成でありながらも、戸体の下端側を円滑にガイドすることができる。
【図面の簡単な説明】
【０００９】
【図１】（ａ）、（ｂ）は、本発明の一実施形態に係るガイド装置の一例及びこれを備えた引戸装置の一例を模式的に示し、（ａ）は、図２（ａ）におけるＸ−Ｘ線矢視に対応させた一部破断概略縦断面図、（ｂ）は、同引戸装置が備える戸体の一例を模式的に示す一部破断概略底面図である。
【図２】（ａ）は、同引戸装置を示す一部破断概略正面図、（ｂ）は、（ａ）におけるＹ−Ｙ線矢視に対応させた一部破断概略横断面図である。
【図３】（ａ）、（ｂ）は、図２（ｂ）におけるＺ−Ｚ線矢視に対応させた一部破断概略縦断面図である。
【発明を実施するための形態】
【００１０】
以下に本発明の実施の形態について、図面に基づいて説明する。
なお、一部の図では、他図に付している詳細な符号の一部を省略している。
また、以下の実施形態では、本実施形態に係るガイド装置を備えた本実施形態に係る引戸装置を施工した状態を基準として上下方向等の方向を説明する。
【００１１】
本実施形態に係るガイド装置１５は、図１（ａ）及び図２に示すように、戸幅方向に沿って移動自在に上レール７に支持される戸体１０の下端側をガイドする構成とされている。このガイド装置１５は、戸体１０の下端部に戸幅方向の全長に亘って設けられた溝部材１６と、床２側に設けられるガイド部材２０と、を備えている。
また、本実施形態に係る引戸装置１は、このガイド装置１５と戸体１０とを備えている。本実施形態では、戸体１０を、住居等の建物の壁体を貫通するように設けられた出入口となる開口９を開閉するように設けた構成としている。また、本実施形態では、引戸装置１を、片引き状に配される一枚の戸体１０を備えた構成としている。また、図例では、この戸体１０を、壁体の一部に設けられた袖壁（控え壁）に納められる袖壁納めで建て付けた例を示している。また、この戸体１０を、上レール７が設けられた上枠３を含む開口枠（戸枠）３，４，５，６に建て付けた例を示している。なお、当該引戸装置１が上レール７を含む開口枠３，４，５，６を備えた構成としてもよい。
【００１２】
開口枠は、開口９の上側を区画する上枠３と、開口９の左右（開口幅方向）両側を区画する戸先側縦枠４及び中間縦枠（中方立）６と、戸体１０の戸尻側端面に対向される戸尻側縦枠５と、を備えている。また、開口９の下側を、後記するガイド部材２０の設置対象としての床２によって区画した例を示している。
上枠３には、図１（ａ）に示すように、上レール７を受け入れる凹溝３ａが設けられている。この凹溝３ａは、上枠３の全長に亘って下向きに開口するように設けられている。また、この上枠３の長手方向両端部に戸先側縦枠４及び戸尻側縦枠５の上端部が接合され、長手方向略中央部に中間縦枠６の上端部が接合される。なお、図例では、これら上枠３、一対の縦枠４，５及び中間縦枠６を、固定枠とした例を示しているが、額縁状部材を備えたいわゆるケーシング枠としてもよい。
【００１３】
上レール７は、戸体１０の上端部に設けられた被ガイド部を構成するランナー１１をガイドするガイド溝７ａを下向きに開口するように設けた構成とされている。この上レール７は、ガイド溝７ａを長手方向両端側が開口するように全長に亘って設けた構成とされ、全長に亘って一様な断面形状とされている。また、この上レール７は、全開位置と閉鎖位置とを移動する戸体１０の上端側のガイドが可能なように、適宜の長さ寸法とされている。また、上レール７は、ガイド溝７ａの溝底側を区画する天壁部７ｂとガイド溝７ａの溝幅方向両側を区画する両側壁部７ｃ，７ｃとを備えている。また、上レール７は、これら両側壁部７ｃ，７ｃの下端部から互いに向き合う方向に突出し、ランナー１１の転動体１２，１２を案内支持する案内片部７ｄ，７ｄを備えている。なお、図例では、上枠３の凹溝３ａを、上レール７の上側略半部を受入可能とした例を示しているが、上レール７の略全体を受入可能とした構成としてもよい。
【００１４】
戸体１０は、図２に示すように、略矩形平板状とされ、開口９の閉鎖が可能なように、適宜の戸幅寸法及び戸高寸法とされている。
また、この戸体１０の上端部には、上レール７にガイドされる被ガイド部としてのランナー１１が設けられている。図例では、戸体１０の上端部の戸幅方向両端部のそれぞれにランナー１１，１１を設けた例を示している。
これらランナー１１，１１には、図１（ａ）に示すように、上レール７の案内片部７ｄ，７ｄ上を上レール７の長手方向に沿って転動する転動体（ローラー）１２，１２が設けられている。
また、戸体１０の戸先側端部の戸厚方向両側には、一方の図示を省略しているが、手掛部となる引手１３が設けられている（図２（ａ）参照）。これら引手１３は、掘込状とされたものでもよく、上下方向に延びる棒状（バー状）とされたものでもよい。
【００１５】
この戸体１０の下端部には、図１に示すように、溝部材１６を受け入れる凹溝１４が設けられている。この凹溝１４は、下向きに開口し、長手方向両端側が開口するように戸幅方向の全長に亘って設けられている。図例では、この凹溝１４を、長手方向に見て、略矩形溝状とし、戸厚方向略中央部に設けた例を示しているが、このような態様に限られない。
溝部材１６は、下向きに開口するガイド溝１７を戸幅方向に沿って設けた構成とされている。このガイド溝１７は、下向きに開口し、長手方向両端側が開口するように戸幅方向の全長に亘って設けられている。また、このガイド溝１７は、長手方向に見て、略矩形溝状とされ、下方側に向く溝底１７ａと溝幅方向両側の溝壁１７ｂ，１７ｂとによって区画されている。
【００１６】
なお、図例では、このガイド溝１７を、溝部材１６の戸厚方向略中央部に設けた例を示しているが、このような態様に限られない。
また、図例では、このガイド溝１７を、全長に亘って一様な溝幅寸法及び溝深さ寸法とされたものとした例を示しているが、このような態様に限られない。例えば、長手方向両側端部の両側の溝壁１７ｂ，１７ｂを、長手方向外側に向かうに従い溝幅寸法を大きくするように傾斜状とした構成等としてもよい。つまり、ガイド溝１７の長手方向両側端部に幅広部を設けた構成としてもよい。
【００１７】
また、この溝部材１６には、後記するガイド部材２０のガイドピンを構成する円柱状部２３に設けられた被吸引部２４を磁力によって吸引する磁石（溝側磁石）１８，１８がガイド溝１７の略全長に亘って溝幅方向両側のそれぞれに沿うように設けられている。つまり、これら溝側磁石１８，１８は、溝部材１６におけるガイド溝１７の溝幅方向両側を区画する部位に設けられている。
本実施形態では、溝幅方向両側の溝側磁石１８，１８を当該溝部材１６に埋込状に設けた構成としている。また、図例では、これら溝側磁石１８，１８を、戸厚方向に厚さ方向を沿わせ、戸幅方向に延びる帯板状とした例を示している。
【００１８】
また、これら溝側磁石１８，１８を、戸厚方向両側に異極部１８ａ，１８ｂが設けられた構成としている。また、これら溝側磁石１８，１８を、戸厚方向中心側が同極（例えば、Ｓ極）の第１極部１８ａ，１８ａとなり、戸厚方向外側が同極（例えば、Ｎ極）の第２極部１８ｂ，１８ｂとなるように配設した構成としている。なお、これら溝側磁石１８，１８を、戸厚方向両側に異極部１８ａ，１８ｂを設けた態様に代えて、上下方向両側に異極部１８ａ，１８ｂを設けた態様としてもよい。この場合は、下端側が第１極部１８ａ，１８ａとなり、上端側が第２極部１８ｂ，１８ｂとなるように、これら溝側磁石１８，１８を配設した構成としてもよい。
【００１９】
また、これら溝側磁石１８，１８の溝深さ方向に沿う寸法は、ガイド溝１７の溝深さ方向の概ね全体に亘って第１極部１８ａ，１８ａによる吸引力を付与し得るように適宜の寸法としてもよい。例えば、これら溝側磁石１８，１８（第１極部１８ａ，１８ａ）の上端が溝底１７ａと上下方向で概ね一致するような位置としてもよい。図例では、これら溝側磁石１８，１８を、これら溝側磁石１８，１８（第１極部１８ａ，１８ａ）の上端が上下方向で溝底１７ａよりも上方側に位置するように設けた例を示している。
【００２０】
また、これら溝側磁石１８，１８の溝幅方向に沿う寸法（厚さ寸法）は、後記するガイド部材２０の吸引が可能なように適宜の寸法としてもよい。また、これら溝側磁石１８，１８の長さ寸法は、本実施形態では、溝部材１６に埋込状に設けた構成としているので、溝部材１６の長さ寸法よりも僅かに小さい寸法とされている。
なお、この溝部材１６は、溝側磁石１８，１８を埋込状に設けた合成樹脂系材料等から形成された樹脂成型品でもよい。また、溝幅方向両側の溝側磁石１８，１８を溝部材１６に埋込状に設けた構成に代えて、これら溝側磁石１８，１８がガイド溝１７の溝壁１７ｂ，１７ｂを構成するように付設状に設けた構成等としてもよい。
【００２１】
本実施形態では、この溝部材１６のガイド溝１７に挿入されて戸体１０の下端側をガイドする本実施形態に係るガイド部材２０に加えて、他のガイド部材としての第２ガイド部材８を設けた構成としている。つまり、本実施形態では、複数の下ガイド部材を構成するガイド部材２０及び第２ガイド部材８によって戸体１０の下端側をガイドする構成としている。これらガイド部材２０及び第２ガイド部材８は、戸体１０の下方側に配設され、全開位置と閉鎖位置とを移動する戸体１０の移動軌跡に沿って間隔を空けて配設される。
【００２２】
第２ガイド部材８は、当該第２ガイド部材８の上方側に、全開位置と閉鎖位置とを移動する戸体１０が常時、位置するような位置に配設される構成とされている。つまり、第２ガイド部材８のガイドピンを構成する円柱状部がガイド溝１７に常時、挿入された状態で、戸体１０が全開位置と閉鎖位置とを移動する構成とされている。図例では、戸体１０の移動軌跡の略中央部に位置するように、第２ガイド部材８を設けた例を示している。
この第２ガイド部材８は、後記する本実施形態に係るガイド部材２０と同様な構成とされたものでもよいが、本実施形態では、異なる構成とされたものとしている。この第２ガイド部材８としては、例えば、設置対象としての床２に埋込状に配設されるケーシングに対して上下動自在に保持された円柱状部を上方側に向けて付勢する付勢部材を設けた構成とされたものでもよい。または、床２上に固定された固定ベースに対して上方側に向けて突出するように固定的に円柱状部を設けた構成とされたものでもよい。
【００２３】
ガイド部材２０は、図１（ａ）及び図３に示すように、床２側に埋込状に配されるケーシング２５にガイド溝１７に挿入される円柱状部２３を上下動自在に保持させた構成とされている。当該ガイド装置１５は、円柱状部２３が上方側に突出されてガイド溝１７に挿入された状態で円柱状部２３の上端面２３ａとガイド溝１７の溝底１７ａとの間に隙間が形成される構成とされている。この隙間は、戸体１０がスライドする際に上下動するような場合にも、円柱状部２３の上端面２３ａがガイド溝１７の溝底１７ａに接触し難くなるように適宜の寸法としてもよい。
また、図例では、戸体１０の移動軌跡の両端部近傍部位となる戸先側縦枠４近傍部位及び戸尻側縦枠５近傍部位のそれぞれに位置するように、２つのガイド部材２０，２０を設けた例を示している。なお、これらガイド部材２０，２０は、互いに同様の構成であるので、以下では、一方を例にとって説明する。
【００２４】
円柱状部２３は、平面視して略円形状とされている。本実施形態では、この円柱状部２３を、外筒部２２とによって伸縮ピン２１を構成するものとしている。このように伸縮ピン２１を二段階伸縮構造とした場合には、上記したようにガイド溝１７の長手方向両端部に幅広部を設け、この幅広部を伸縮ピン２１の受入が可能なように外筒部２２の径よりも大としてもよい。また、ガイド溝１７の長手方向中心側の溝幅寸法を、円柱状部２３の径に応じた寸法としてもよい。また、ガイド溝１７の幅広部に連なる長手方向両端部位の溝幅方向両側に、突出した円柱状部２３に対して外筒部２２を下降させる、長手方向中心側から両端に向かうに従い溝底１７ａに向けて傾斜する傾斜部をそれぞれに設けた構成としてもよい。つまり、ガイド溝１７の長手方向両端部位の溝幅方向両側に、外筒部２２に対する円柱状部２３の嵌まり込みを解除する解除部となる傾斜部を設けた構成としてもよい。
【００２５】
また、本実施形態では、この伸縮ピン２１を、ケーシング２５に対して上下動自在に保持させた構成としている。図例では、この伸縮ピン２１を、平面視して、略円形状とされたケーシング２５に対して略同心状に設けた例を示しているが、ケーシング２５に対して偏心状に設けた構成としてもよい。
ケーシング２５は、上下に開口する略円筒形状とされ、その中空部が伸縮ピン２１を収容する収容部２５ａを構成する。また、本実施形態では、このケーシング２５をインナーケーシングとして収容するアウターケーシング２６を備えた構成としている。
アウターケーシング２６は、上下に開口する略円筒形状とされ、上端部に床面に当接される鍔部を設け、下端内周部にケーシング２５の下端外周部に設けられた係合溝に係合する突起を適所に設けた構成とされている。また、アウターケーシング２６の外周部に、設置対象としての床２を構成する床材等に食い込む複数の突起を設けた構成としている。
【００２６】
また、ケーシング２５は、上端部にアウターケーシング２６の鍔部に重ね合わせられるように配される鍔部を設け、下端外周部に、アウターケーシング２６の突起が係合する周方向に延びる係合溝を設けた構成とされている。
また、このケーシング２５には、当該ケーシング２５に対して突出状態とされた伸縮ピン２１の外筒部２２の更なる上方側への移動を抑制する抜止部が設けられている。このような抜止部としては、外筒部２２の下端部に設けられた一対の係合突起が係合する係合凹溝の上端部の下方側に向く天面としてもよい。
【００２７】
なお、ケーシング２５は、床２に埋込状に固定されたアウターケーシング２６に対して上下方向に沿う軸回りに回転自在とされたものとしてもよい。これによれば、上記のように伸縮ピン２１をケーシング２５に対して偏心状に設けた場合には、床２に配設されたアウターケーシング２６に対してケーシング２５を回転させることで、伸縮ピン２１の溝幅方向の位置調整（微調整）が可能となる。
また、ケーシング２５を収容するアウターケーシング２６を設けていない構成としてもよく、また、伸縮ピン２１（円柱状部２３）を昇降自在に収容するケーシング２５としては、その他、種々の変形が可能である。
【００２８】
伸縮ピン２１の外筒部２２は、円柱状部２３よりも大径とされ、上下に開口する略円筒形状とされている。この外筒部２２の中空部２２ａに対して円柱状部２３が上下動自在とされている。また、この外筒部２２には、当該外筒部２２に対して突出状態とされた円柱状部２３の更なる上方側への移動を抑制する抜止部が設けられている。このような抜止部としては、上記同様、円柱状部２３の下端部に設けられた一対の係合突起が係合する係合凹溝の上端部の下方側に向く天面としてもよい。
この外筒部２２は、図３（ａ）に示すように、ケーシング２５に対して没入（降下）した状態では、ケーシング２５の上面から突出しないようにケーシング２５に収容される。一方、この外筒部２２は、図１（ａ）及び図３（ｂ）に示すように、ケーシング２５に対して突出（上昇）した状態では、上側部位がケーシング２５の上面から突出する構成とされている。
【００２９】
円柱状部２３は、上記した溝部材１６のガイド溝１７に差し込み可能なように、ガイド溝１７の溝幅寸法に応じた径（外径）とされている。図例では、この円柱状部２３の径を、ガイド溝１７の溝幅寸法よりも僅かに小とした例を示している。
また、本実施形態では、この円柱状部２３の上端面２３ａを上方側に向くように設けられた略平坦面状としている。
この円柱状部２３は、外筒部２２と同様、図３（ａ）に示すように、ケーシング２５に対して没入（降下）した状態では、ケーシング２５の上面から突出しないようにケーシング２５に収容される。一方、この円柱状部２３は、図１（ａ）及び図３（ｂ）に示すように、ケーシング２５及び外筒部２２に対して突出（上昇）した状態では、上側部位が外筒部２２の上端から突出する構成とされている。
【００３０】
また、本実施形態では、突出状態とされた円柱状部２３の突出寸法（外筒部２２の上端から円柱状部２３の上端面２３ａまでの上下方向に沿う寸法）を、溝部材１６のガイド溝１７の溝深さ寸法よりも小としている。つまり、溝部材１６のガイド溝１７の溝深さ寸法を、突出状態における円柱状部２３の突出寸法よりも大としている。
この円柱状部２３の突出寸法は、ガイド溝１７の溝深さ寸法に応じて適宜の寸法とすればよい。図例では、この円柱状部２３の突出寸法をガイド溝１７の溝深さ寸法の５／７程度とした例を示しているが、このような寸法に限られない。
【００３１】
また、この円柱状部２３には、溝部材１６のガイド溝１７の溝幅方向両側のそれぞれに沿うように設けられた溝側磁石１８，１８に吸引される被吸引部２４が設けられている。
本実施形態では、被吸引部２４を、これら溝側磁石１８，１８に吸引されるように磁極が配された磁石（ピン側磁石）２４としている。また、このピン側磁石２４を、円柱状部２３に埋込状に設けた構成としている。また、本実施形態では、このピン側磁石２４を、上下方向両側に異極部２４ｂ，２４ａが設けられ、円柱状部２３と略同心状とされた略円柱形状としている。つまり、このピン側磁石２４は、溝部材１６の溝側磁石１８，１８の第１極部１８ａ，１８ａに吸引されるように、円柱状部２３の突出方向先端側となる上端側を、第１極部１８ａ，１８ａとは異極（例えば、Ｎ極）の第２極部２４ｂとしている。また、ピン側磁石２４は、円柱状部２３の下端側が、第１極部１８ａ，１８ａと同極（例えば、Ｓ極）の第１極部２４ａとされている。
【００３２】
このピン側磁石２４の径は、円柱状部２３の径に応じて、また、溝部材１６の溝側磁石１８，１８によって円柱状部２３の吸引が可能なように適宜の径としてもよい。また、このピン側磁石２４の上下方向（円柱状部２３の出没方向）に沿う寸法は、円柱状部２３の上下方向に沿う寸法に応じて、また、溝部材１６の溝側磁石１８，１８によって円柱状部２３の吸引が可能なように適宜の寸法としてもよい。また、このピン側磁石２４の上下方向に沿う寸法は、円柱状部２３が溝部材１６のガイド溝１７に挿入された際に、下端側の第１極部２４ａと溝部材１６の溝側磁石１８，１８の第１極部１８ａ，１８ａとの反発力が作用し難いように適宜の寸法としてもよい。図例では、円柱状部２３が溝部材１６のガイド溝１７に挿入された状態で、ピン側磁石２４の第１極部２４ａと溝部材１６の溝側磁石１８，１８とが戸厚方向に見て互いに重なり合わないようにピン側磁石２４を設けた構成としている。
【００３３】
なお、円柱状部２３のピン側磁石２４としては、上記のような構成とされたものに限られず、径方向に異極部２４ｂ，２４ａが設けられた略円筒状（略リング状）とされたものとしてもよい。つまり、溝部材１６の溝側磁石１８，１８の第１極部１８ａ，１８ａに吸引されるように、外周側に、第１極部１８ａ，１８ａとは異極（例えば、Ｎ極）の第２極部２４ｂを設け、内周側に、第１極部２４ａを設けた構成とされたものでもよい。この場合は、ピン側磁石２４の上下方向に沿う寸法を、適宜、変形するようにしてもよい。
また、ピン側磁石２４を円柱状部２３に埋込状に設けた構成に代えて、ピン側磁石２４が円柱状部２３の上端面２３ａ等を構成するように、ピン側磁石２４を円柱状部２３に付設状に設けた構成等としてもよい。
【００３４】
上記構成とされたガイド装置１５を備えた引戸装置１においては、以下のように戸体１０の下端側のガイドがなされる。
図３（ａ）及び図３（ｂ）に示すように、戸幅方向に戸体１０がスライドされてガイド部材２０の上方側に至れば、戸体１０の下端部に設けられた溝部材１６の溝側磁石１８，１８に円柱状部２３のピン側磁石２４が吸引されて伸縮ピン２１が伸長する。これにより、円柱状部２３が溝部材１６のガイド溝１７に挿入され、戸体１０の下端側のガイドがなされる。また、溝部材１６の溝側磁石１８，１８は、戸幅方向の概ね全体に亘って設けられているので、戸体１０がガイド部材２０の上方側に位置した状態では、伸縮ピン２１が伸長状態とされ、円柱状部２３が溝部材１６のガイド溝１７に挿入された状態となる。
【００３５】
図３（ｂ）及び図３（ａ）に示すように、上記とは逆に戸幅方向に戸体１０がスライドされてガイド部材２０の上方側を通過すれば、戸体１０の下端部に設けられた溝部材１６の溝側磁石１８，１８による吸引力が弱まって（除荷されて）、円柱状部２３が降下する。つまり、円柱状部２３及び外筒部２２を備えた伸縮ピン２１がケーシング２５に没入するように縮退される。これら円柱状部２３及び外筒部２２は、これらの自重によって降下する。なお、溝部材１６の長手方向両端部に、円柱状部２３に設けられたピン側磁石２４に反発力を付与する磁石を設けた構成としてもよい。このような構成とすれば、円柱状部２３をより確実に降下させることができる。
【００３６】
本実施形態に係るガイド装置１５及びこれを備えた引戸装置１は、上述のような構成としたことで、戸体１０が通過した状態において通行の妨げになり難い構成でありながらも、戸体１０の下端側を円滑にガイドすることができる。
つまり、戸体１０の下端部に設けられる溝部材１６のガイド溝１７に挿入される円柱状部２３を床２側に埋込状に配されるケーシング２５に上下動自在に保持させたガイド部材２０を備えた構成としている。従って、上述のように、ガイド部材２０の上方側を戸体１０が通過すれば、戸体１０の下端部の溝部材１６に設けられた磁石（溝側磁石）１８，１８による吸引力が弱まって円柱状部２３が降下してケーシング２５に没入する。これにより、ガイド部材２０の上方側を戸体１０が通過すれば、円柱状部２３が床２側において大きく突出するようなことがなく、円柱状部２３が通行の妨げになるようなことを抑制することができる。
【００３７】
また、ガイド部材２０の円柱状部２３が上方側に突出されてガイド溝１７に挿入された状態で円柱状部２３の上端面２３ａとガイド溝１７の溝底１７ａとの間に隙間が形成される構成としている。従って、ガイド溝１７に挿入された円柱状部２３の上端面２３ａがガイド溝１７の溝底１７ａに面接触することを抑制することができ、円柱状部２３がガイド溝１７の内面に非接触または接触した場合にも外周面の一部がガイド溝１７の溝壁１７ｂ，１７ｂに言わば線接触的に接触することとなる（図１（ｂ）参照）。これにより、ガイド溝１７の内面に対する円柱状部２３の摩擦抵抗を効果的に小さくすることができ、戸体１０の下端側を円滑にガイドすることができる。
【００３８】
また、溝部材１６のガイド溝１７の略全長に亘って溝幅方向両側のそれぞれに沿うように溝側磁石１８，１８を設けた構成としている。従って、上記のように円柱状部２３のガイド溝１７に対する接触面積が小さくなる（または非接触となる）ような場合にも、円柱状部２３の被吸引部（ピン側磁石）２４を両側の溝側磁石１８，１８によって吸引して突出状態に維持することができる。これにより、円柱状部２３の意図しない没入を抑制することができる。
また、このように溝幅方向両側のそれぞれに沿うように溝側磁石１８，１８を設けた構成としているので、ガイド溝１７の溝深さを大きくすることもできる。つまり、ガイド溝１７の溝底１７ａ側に磁石を設ける必要がないので、ガイド溝１７の溝深さを大きくすることもできる。これにより、開閉される戸体１０の下方側に常時位置するように設けられる固定ピンを併用するような場合に、ガイド溝１７に対する固定ピンの挿入寸法を確保すべく比較的に突出寸法の大きい固定ピンを採用することもできる。また、固定ピンとガイド溝１７の溝底１７ａとの接触を効果的に抑制することもできる。
【００３９】
また、本実施形態では、ガイド部材２０の円柱状部２３の被吸引部２４を、溝部材１６のガイド溝１７の溝幅方向両側に設けられた溝側磁石１８，１８に吸引されるように磁極が配された磁石（ピン側磁石）２４としている。従って、円柱状部２３のピン側磁石２４と溝幅方向両側の溝側磁石１８，１８との互いの吸引力によって円柱状部２３をガイド溝１７内により効果的に吸引させることができ、円柱状部２３の意図しない没入をより効果的に抑制することができる。なお、このような態様に代えて、円柱状部２３の被吸引部２４を、円柱状部２３に埋込状または付設状に設けられた鉄板等の強磁性体等としてもよく、円柱状部２３自体が被吸引部２４として機能するようなものとしてもよい。
【００４０】
また、本実施形態では、溝部材１６のガイド溝１７の溝深さ寸法を、突出状態におけるガイド部材２０の円柱状部２３の突出寸法よりも大としている。従って、戸体１０がスライドする際に上下動するような場合にも、ガイド溝１７に挿入された円柱状部２３の上端面２３ａがガイド溝１７の溝底１７ａに面接触することをより確実に抑制することができる。なお、このような態様に代えて、溝部材１６のガイド溝１７の溝深さ寸法を、突出状態におけるガイド部材２０の円柱状部２３の突出寸法よりも小としてもよい。この場合は、突出状態とされてガイド溝１７に挿入された円柱状部２３の上端面２３ａとガイド溝１７の溝底１７ａとの間に隙間が形成されるように、戸体１０が上吊支持される構成としてもよい。
【００４１】
また、本実施形態では、ガイド部材２０の円柱状部２３を、外筒部２２とによって伸縮ピン２１を構成するものとした例を示しているが、このような二段階伸縮構造とされたものに限られず、三段以上とされたものとしてもよい。または、伸縮構造とされたものに限られず、ケーシング２５に対して円柱状部２３のみが上下方向に移動自在に設けられた構成としてもよい。
また、上記した例では、ケーシング２５を、上下方向に軸方向を沿わせた略円柱状（略円筒状）とした例を示しているが、このような態様に限られず、略多角柱状（略多角筒状）や、平面視して楕円状や細長状等の種々の形状とされたものとしてもよい。
【００４２】
また、本実施形態では、引戸装置１を、単一の戸体１０を備えた構成とした例を示しているが、例えば、引き違い状や引き分け（両引き）状に配設される複数枚の戸体１０を備えた構成としてもよい。この場合は、上レール７や、ガイド部材２０、第２ガイド部材８等を設ける位置や個数、形状等を適宜、変形するようにしてもよい。
また、上記した例では、戸体１０を袖壁納めとした例を示しているが、このような態様に代えて、戸袋納めやいわゆるアウトセット納め等としてもよい。
また、本実施形態では、引戸装置１の戸体１０を、開口９を開閉する引戸とした例を示しているが、このような態様に代えて、間仕切パネル等として用いられるものとしてもよい。つまり、本実施形態に係るガイド装置１５を、戸体１０としての間仕切パネルの下端側をガイドする構成としてもよい。
【符号の説明】
【００４３】
１      引戸装置
１０    戸体
１５    ガイド装置
１６    溝部材
１７    ガイド溝
１７ａ  溝底
１８    溝側磁石（磁石）
２０    ガイド部材
２３    円柱状部
２３ａ  上端面
２４    ピン側磁石（被吸引部、磁石）
２５    ケーシング
２      床
７      上レール
【図１】
2018071297.tif 000003
【図２】
2018071297.tif 000004
【図３】
2018071297.tif 000005